(57)【要約】  本発明は、とくにはフラップ扉接続金具（4）用の減衰アセンブリ（40）に関し、この減衰アセンブリは、コイルばねとして設計された少なくとも2つのばね（21）が間に配置された第1のばねホルダ（22）および第2のばねホルダ（24）を備え、少なくとも2つのばね（21）の各々において、ダンパーハウジング（41）と、ダンパーハウジング（41）に対してスライド可能なピストンロッド（42）とを有する線形ダンパーが、第1および第2のばねホルダ（22、24）の間に配置されている。このような減衰アセンブリは、とくには家具用のフラップ扉接続金具に使用され、フラップ扉を家具本体に枢動可能に取り付け、コンパクトな設計で大きな力を加える。
2020525682.tif 000002
【特許請求の範囲】
【請求項１】
とくにはフラップ扉接続金具（4）用であり、第1のばねホルダ（22）および第2のばねホルダ（24）を有しており、前記第1のばねホルダ（22）と前記第2のばねホルダ（24）との間に、コイルばねとして設計された少なくとも2つのばね（21）が配置されている、ダンパーアセンブリ（40）であって、
前記少なくとも2つのばね（21）の各々に、ダンパーハウジング（41）と、前記ダンパーハウジング（41）に対して変位され得るピストンロッド（42）とを有する線形ダンパーが、前記第1および第2のばねホルダ（22、24）の間に配置されている、ことを特徴とするダンパーアセンブリ。
【請求項２】
前記第1および第2のばねホルダ（22、24）は、寸法的に安定なブラケットとして設計されている、ことを特徴とする請求項1に記載のダンパーアセンブリ。
【請求項３】
少なくとも2つのばね、好ましくは4つのばねが、前記2つのばねホルダ（22、24）の間に配置されている、ことを特徴とする請求項1または2に記載のダンパーアセンブリ。
【請求項４】
前記ダンパーアセンブリ（40）は、前記ばね（21）の配置に関する中央面に対して対称に形成されている、ことを特徴とする請求項1〜3のいずれか一項に記載のダンパーアセンブリ。
【請求項５】
前記ダンパーハウジング（41）を固定するための受け部（43）が、前記第2のばねホルダ（24）上に設けられ、前記第1のばねホルダ（22）のための弾性ストッパ（45）が、前記受け部（43）の端部に配置されている、ことを特徴とする請求項1〜4のいずれか一項に記載のダンパーアセンブリ。
【請求項６】
前記ばね（21）は、引張ばねまたは圧縮ばねとして設計されている、ことを特徴とする請求項1〜5のいずれか一項に記載のダンパーアセンブリ。
【請求項７】
前記ばねホルダ（22、24）は、前記ばね（21）の外側に配置された追加のダンパーレス線形ガイド手段によって相互接続されている、ことを特徴とする請求項1〜6のいずれか一項に記載のダンパーアセンブリ。
【請求項８】
前記ばねホルダ（22、24）は、少なくとも1つのばね（21）の内側に配置された追加のダンパーレス線形ガイド手段によって相互接続されている、ことを特徴とする請求項1〜7のいずれか一項に記載のダンパーアセンブリ。
【請求項９】
前記ダンパーハウジング（41）は、ピストン作動室内に異なる直径を有する異なる領域を有する、ことを特徴とする請求項1〜8のいずれか一項に記載のダンパーアセンブリ。
【請求項１０】
とくには家具用であり、本体（2）上に配置することができ、支持レバー（6）が回転可能に取り付けられるベース本体（5）と、枢動可能に取り付けられた制御レバー（7）とを有しており、前記支持レバー（6）および前記制御レバー（7）が、間隔を空けて位置する回転軸（61、71）を介して関節運動可能な態様でフラップ扉（3）へ接続され得、あるいはさらなるレバーを介してフラップ扉（3）へ接続され得、前記フラップ扉（3）は、動きの範囲の少なくとも一部においてエネルギ蓄積装置（20）によって予め引っ張られている、フラップ扉接続金具（4）であって、
請求項1〜9のいずれか一項に記載のダンパーアセンブリ（40）が、前記ベース本体（5）上または前記ベース本体（5）内に設けられていることを特徴とするフラップ扉接続金具（4）。
【請求項１１】
閉じ動作が、前記フラップ扉（3）の閉位置に到達する前に前記ダンパーアセンブリ（40）によって制動される、ことを特徴とする請求項10に記載のフラップ扉接続金具。
【請求項１２】
前記エネルギ蓄積装置（20）は、閉位置において閉じ方向に前記フラップ扉（3）を予め引っ張り、開領域において開き方向に前記フラップ扉（3）を予め引っ張る、ことを特徴とする請求項10または11に記載のフラップ扉接続金具。
【請求項１３】
ばねホルダ（22）が、曲線ガイド（16）を介して前記制御レバー（7）に結合している、ことを特徴とする請求項10〜12のいずれか一項に記載のフラップ扉接続金具。
【請求項１４】
前記曲線ガイド（16）が、前記制御レバー（7）によって駆動される歯車ユニットを介して作動され得る、ことを特徴とする請求項13に記載のフラップ扉接続金具。
【請求項１５】
前記歯車ユニットは、少なくとも1つの歯車（13）またはレバーアームを有する、ことを特徴とする請求項14に記載のフラップ扉接続金具。
【発明の詳細な説明】
【技術分野】
【０００１】
本発明は、とくにはフラップ扉接続金具用であり、第1のばねホルダおよび第2のばねホルダを備えており、第1のばねホルダと第2のばねホルダとの間にコイルばねとして設計された少なくとも2つのばねが配置されるダンパーアセンブリに関し、さらに本発明は、とくには家具用であり、支持レバーが回転可能に取り付けられた、本体へと固定することができるハウジングと、枢動可能に取り付けられた制御レバーとを備えており、支持レバーおよび制御レバーを、間隔を空けて位置する回転軸を介して関節運動可能な態様でフラップ扉へと接続することができ、かつ、フラップ扉は、動きの範囲の少なくとも一部においてエネルギ蓄積装置によって予め引っ張られている、フラップ扉接続金具(fitting)に関する。
【背景技術】
【０００２】
欧州特許第2138658号明細書が、家具のフラップ扉を作動アームおよび制御レバーによって枢動させる家具のフラップ扉用のフラップ扉接続金具を開示している。家具のフラップ扉は、引張ばねによって閉じ方向に予め引っ張られている。
【発明の概要】
【発明が解決しようとする課題】
【０００３】
このようなフラップ扉接続金具について、家具のフラップ扉を持ち上げるために、大きな力をコンパクトな設計で吸収するように意図されたエネルギ蓄積装置が必要である。さらに、ユーザが大きな衝撃音に悩まされることも多い。
【０００４】
したがって、本発明の目的は、とくにはフラップ扉接続金具用のダンパーアセンブリであって、とくには家具の部品である可動の構成部品を保持し、さらには閉じるための大きな力をコンパクトな設計でもたらすダンパーアセンブリを生み出すことである。
【課題を解決するための手段】
【０００５】
この目的は、請求項1の特徴を有するダンパーアセンブリによって達成される。さらに、そのようなダンパーアセンブリを備える請求項10の特徴を有するフラップ扉接続金具が生み出される。
【０００６】
本発明によるダンパーアセンブリにおいては、コイルばねの形態の少なくとも2つのばねが設けられ、その各々に、ダンパーハウジングとダンパーハウジングに対して変位可能なピストンロッドとを備えた線形ダンパーが配置される。これは、大きな予めの引っ張り力をダンパーアセンブリに作用させることができ、ダンパーが大きな加速度を防止し、対応する制動力または減衰力を発生させることを意味する。したがって、ばねおよびダンパーが、とくにはフラップ扉接続金具に必要とされる短い移動距離で操作性を向上させることができ、きわめてコンパクトな設計を有することができる。
【０００７】
好ましくは、第1および第2のばねホルダは、ダンパーおよびばねが取り付けられる寸法的に安定なブラケットとして設計される。例えば枢動可能なフラップ扉の重量力と釣り合うように、大きな予めの引っ張り力を生じさせるために、好ましくは、例えば4つのばねなど、少なくとも3つのばねが設けられる。ばねを、圧縮ばねまたは引張ばねとして設計することができる。
【０００８】
ダンパーアセンブリによって引き起こされる横方向の力を回避するために、ダンパーアセンブリは、好ましくは、ばねの配置に関して中央面に対して対称に形成される。
【０００９】
大きな衝撃音を避けるために、ダンパーハウジングを第1のばねホルダに固定し、ピストンロッドを第2のばねホルダに固定することが好ましい。弾性ストッパが、受け部と第2のばねホルダとの間に配置され、弾性ストッパは、ばねホルダに対して直接配置されても、端部位置においてばねホルダに接続された構成部品に対して配置されてもよい。ストッパを、不快な衝撃音を避けるために、第2のばねホルダまたは受け部の端部のいずれかに固定することができる。
【００１０】
さらなる実施形態において、ばねホルダは、例えばばねの外側または内側に配置されたレール上を案内されるスライド要素など、ダンパーを持たない追加の線形ガイド手段によって互いに接続される。
【００１１】
異なる減衰力を生み出すために、ダンパーハウジングは、ダンパーのピストンを直線的に変位させることができるピストン作動室内に異なる直径を有する異なる領域を有することができる。
【００１２】
本発明によれば、ダンパーアセンブリを備えるフラップ扉接続金具も提供され、フラップ扉接続金具は、本体へと固定することができるハウジングと、回転可能な支持レバーと、枢動可能に取り付けられた制御レバーとを有し、支持レバーおよび制御レバーを、間隔を空けて位置する回転軸を介してフラップ扉へと関節運動可能な態様で接続することができる。これは、ダンパーアセンブリを使用して、とりわけフラップ扉の開閉に関して、フラップ扉の一連の動きを快適に設計できることを意味する。
【００１３】
ダンパーアセンブリは、好ましくは、ダンパーの閉じ動作をダンパーが閉位置に到達する前に減速させるために使用される。好ましくは、エネルギ蓄積装置は、閉位置のフラップ扉を閉じ方向に予め引っ張るために使用され、フラップ扉は、開放範囲において開き方向に予め引っ張られる。したがって、ユーザは、フラップ扉を開くときに死点を超えることができ、死点を超えた後に、フラップ扉を、ばね力によって支持され、あるいは自動的に、開き方向に動かすことができる。反対に、死点を超えた後に、フラップ扉は、自動的に閉じ方向に移動し、ダンパーによって制動される。死点位置の前および／または後にあってよいフラップ扉の中間位置において、フラップ扉を、この中間的な開放の範囲において閉動作または開動作を単独で実行することがないように、釣り合った状態に保つことも可能である。
【００１４】
ダンパーアセンブリの正確な作動を可能にするために、ばねホルダは、好ましくは、曲線ガイドを介して制御レバーに結合する。曲線ガイドを、制御レバーによって駆動されるギアユニットを介して作動させることができる。歯車、枢動レバー、または他の歯車要素を、歯車ユニットとして使用することができる。
【００１５】
本発明は、添付の図面を参照して、実施例を使用して以下でさらに詳しく説明される。
【図面の簡単な説明】
【００１６】
【図１】フラップ扉接続金具を備えた本発明による家具の一品目の斜視図を示している。
【図２】フラップ扉接続金具を備えた前部パネルの斜視図を示している。
【図３Ａ】フラップ扉が開いた状態の図1の家具の一品目の図を示している。
【図３Ｂ】フラップ扉が開いた状態の図1の家具の一品目の図を示している。
【図４Ａ】閉位置にある枢動接続金具の図を示している。
【図４Ｂ】閉位置にある枢動接続金具の図を示している。
【図５】ハウジングの一部分を取り除いた閉位置にある枢動接続金具の図を示している。
【図６】或る位置にある図のフラップ扉接続金具の図を示している。
【図７】別の位置にある図のフラップ扉接続金具の図を示している。
【図８】別の位置にある図のフラップ扉接続金具の図を示している。
【図９】開位置にあるフラップ扉接続金具の図を示している。
【図１０Ａ】或る状態のフラップ扉接続金具用の本発明によるダンパーアセンブリの図を示している。
【図１０Ｂ】別の状態のフラップ扉接続金具用の本発明によるダンパーアセンブリの図を示している。
【図１１Ａ】ばねを除いた図10のダンパーアセンブリの図を示している。
【図１１Ｂ】ばねを除いた図10のダンパーアセンブリの図を示している。
【図１２】家具の一品目の側壁に配置された一変種のフラップ扉接続金具の図を示している。
【発明を実施するための形態】
【００１７】
家具1は、例えばキッチンの壁ユニット用の家具本体2を備えており、図1においては後壁が省略されている。家具本体2は、一方の前面において、枢動可能に取り付けられたフラップ扉3によって閉じられる。フラップ扉3を案内するために、ハウジング5を有するフラップ扉接続金具4が、家具本体2の両方の側壁にそれぞれ取り付けられている。各々のフラップ扉接続金具4は、接続部9を介してフラップ扉3に接続された支持レバー6および制御レバー7を備えている。両側のフラップ扉接続金具4の2つの接続部9は、フラップ扉3の開閉時にフラップ扉接続金具4が基本的に同期して動くように、ロッド8を介して同期されている。
【００１８】
図2が、フラップ扉3を有するフラップ扉接続金具4を、家具本体2を除いて示している。フラップ扉接続金具4のハウジング5は、多数のスペーサ52によって互いに離して配置された2つの側壁50および51を備える。ハウジング5について、他の種類のハウジングも使用することができる。
【００１９】
図3Aおよび図3Bに、開位置にあるフラップ扉3が示されている。フラップ扉3は、上部が家具本体2から遠ざかるように前方へと枢動している一方で、ハンドル要素（図示せず）が取り付けられているフラップ扉3の下部は、基本的に垂直に上方へと枢動している。この点で、ユーザは、フラップ扉3を開閉するときに、わずかな水平方向の動きと基本的に垂直方向の動きとを実行するだけでよい。
【００２０】
図示の開放動作に加えて、先行技術において知られているような他の開放動作も、フラップ扉3に関して実現可能である。そのような開放動作として、例えば、フラップ扉3を単に上方に傾けることや、折り畳むことが挙げられる。
【００２１】
図4Aおよび図4Bに、閉位置にあるフラップ扉接続金具4が示されている。支持レバー6および制御レバー7が、互いに部分的に平行に配置され、フラップ扉3に取り付けられた接続部9まで基本的に垂直方向に延びている。
【００２２】
図5が、閉位置にあるフラップ扉接続金具4を、ハウジングの側壁50を除いて示している。支持レバー6は、一端において接続部9に位置する回転軸61を中心に、反対側においてハウジング5に設けられた回転軸60を中心に、関節運動可能な態様で取り付けられている。回転軸60を中心にして、第1の歯車10が回転に関して固定された態様で支持レバー6に接続されており、第1の歯車10は、回転軸12を中心にして回転できるようにハウジング5に取り付けられた第2の歯車11と噛み合っている。
【００２３】
第2の歯車11上に、歯車11の回転軸12から離れて、制御レバー7が回転可能に取り付けられる回転軸70が設けられている。制御レバー7は、反対側の端部において、接続部9に位置する回転軸71を中心にして回転できるように取り付けられている。したがって、回転シャフト70は、接続部9に保持されたフラップ扉3の開閉の過程において移動する。
【００２４】
接続部9を、単一の部品または複数の部品の態様で形成することができる。
【００２５】
開閉中のフラップ扉3の重量力を部分的に補償するために、とくには図示の実施例においては引張ばねである3つのばね21を第1のばねホルダ22と第2のばねホルダ24との間に配置して備えているエネルギ蓄積装置20が設けられる。第2のばねホルダ24は、固定具25によってハウジング5に固定されている。ばねホルダ22は、ロッド23を介して可動ホルダ18に接続されている。ホルダ18に、ホルダ18がエネルギ蓄積装置20によって予め引っ張られるようにエネルギ蓄積装置20のロッド23が固定される受け部19が設けられている。ホルダ18は、制御ディスク15の曲線ガイド16に取り付けられたガイド要素17を有する。制御ディスク15は、ハウジング5に設けられた回転軸14を中心にして回転できるように取り付けられている。さらに、制御ディスク15は、第1の歯車10と噛み合う第3の歯車13に、回転に関して固定された態様で結合している。エネルギ蓄積装置20のロッド23を位置決めするための種々の位置選択部が、ホルダ18の受け部19に設けられているため、補償すべきフラップ扉3の重量力に対するばねの効果の最適な事前の調整を、適切な位置を選択することによってすでに行うことができる。位置選択部の代わりに、無限に変化させることができる事前の設定を、例えばホルダ18に対するロッド23の位置を変更するために使用することができるねじ／ナット接続の形態で用意することも可能である。
【００２６】
「歯車」という用語は、外歯を備えた回転ディスクを指し、外歯は、外周の全体に及んでいても、外周の一部にのみ存在してもよい。あるいは、歯セグメント、内歯車、または他の構成部品を、隣接する歯車との確実な噛み合いのための歯が設けられた歯車として使用することも可能である。
【００２７】
また、線形ダンパーとして設計され、とくには流体、液体、または空気ダンパーとして設計されたダンパー30も、ハウジング5に設けられており、ハウジング5上の固定要素31に保持され、圧縮時に減衰力を発生させるピストン−シリンダユニットを備えている。例えばホルダ18上の作動要素33を接触させることができる接触ローラである接触面32が、固定要素31から遠い側に設けられている。
【００２８】
開動作において、フラップ扉3の下部領域に位置するハンドルが、フラップ扉3を前方および上方に動かすようにユーザによって操作される。図6が、わずかに開いた位置にあるフラップ扉3を示している。エネルギ蓄積装置20は、フラップ扉3が閉位置の領域において閉じ方向に予め引っ張られているため、開放動作の開始時にさらに引っ張られる。死点を超えた後に、エネルギ蓄積装置20は、フラップ扉3の開方向における動きを支持する。
【００２９】
図7に示されるように、フラップ扉3が開方向にさらに移動すると、支持レバー6が回転軸60を中心にして枢動するとともに、制御レバー7が回転可能な歯車11に配置された回転軸70を中心にして枢動する。閉位置（図5）から図7の位置まで、歯車11は約90度回転し、したがって回転シャフト70も移動している。歯車10および11は噛み合っているため、2つの支持レバー6および制御レバー7は、ハウジング5の領域および接続部9の両方において互いに結合している。歯車10の回転は、制御ディスク15を回転させる第3の歯車13も駆動する。制御ディスク15の回転により、曲線ガイド16が移動し、開放の動作において死点を超えたときにエネルギ蓄積装置20のばね21を収縮させ、エネルギ蓄積装置20で開放の過程を支持することが可能になる。
【００３０】
フラップ扉3は、図8に示されるように開方向にさらに移動し、フラップ扉3の上端が前方および上方に突出する。フラップ扉の下部は、基本的に、家具本体2の開口部の直前を垂直上方に移動する。
【００３１】
図9が、フラップ扉接続金具4の最大開放位置を示している。フラップ扉3は、例えば10度〜20度の間の範囲で水平に対してわずかに傾いており、家具本体2の開口領域をおおむね開放している。最大開放位置に達する前に、開放の動作を、例えば接続部9に位置するダンパーによって減速させることができる。これに代え、あるいはこれに加えて、図8に示されるように、ホルダ18上の作動要素33によって圧縮されるダンパー30が、ハウジング5内に設けられる。
【００３２】
閉鎖の動作において、ユーザは、フラップ扉3が図5に示した閉位置に再び位置するまで、フラップ扉3をエネルギ蓄積装置20の力に逆らって下方へと引っ張る。
【００３３】
図示の実施例では、3つの歯車10、11、および13が、ハウジング5内に配置されている。エネルギ蓄積装置20の引っ張りおよびエネルギ放出をフラップ扉3の重量および他のパラメータにさらに適合させるために、ハウジング5内に所定の伝達比を有するギアユニットを設けることも可能である。
【００３４】
図10Aおよび図10Bに、図5から図8に概略的に示したとおりのダンパーアセンブリ40が示されている。ダンパーアセンブリ40は、コイルばねとして設計され、第1のばねホルダ22と第2のばねホルダ24との間に引っ張られた3つのばね21を備える。ばね21は、引張ばねとして設計されており、ピン26にてばねホルダ22および24に取り付けられる端部のアイを有している。ばね21を固定するために、他の機構を使用することも可能である。引張ばねの代わりに圧縮ばねを使用することも可能である。2つのばねホルダ22および24は、弓形の態様に形成され、第1のばねホルダ22には、作動機構への接続のためのロッド23またはジョイントが設けられている。第2のばねホルダ24上には、ハウジング5への固定のための固定具25が存在する。
【００３５】
フラップ扉接続金具4の設計は、一例としてのみ理解されるべきである。支持レバー6と制御レバー7とによって形成される4関節の構成に代えて、支持レバー6と制御レバー7とさらなるレバーとによって7関節の構成を形成することも可能である。したがって、7関節の構成において、支持レバー6および制御レバー7は、他のレバーを介してフラップ扉3に接続される。回転シャフト70がフラップ扉の動作の最中にベース本体5に対するいかなる相対運動も行うことがないように、支持レバー6および制御レバー7の回転軸をベース本体5に固定することも可能である。これは、関節機構6、7からダンパーアセンブリ40への力の伝達を、さまざまに形成できることを意味する。
【００３６】
ダンパーアセンブリ40は、2つの外側ばね21の各々に、線形ダンパーとして設計され、ダンパーハウジング41とピストンロッド42とを備えているダンパーを備える。中央のばね21には、別のコイルばねが配置されており、したがって図10Aおよび図10Bのダンパーアセンブリにおいては、ばねホルダ22および24が動くときに4つのばねが作動する。ダンパーアセンブリ40に使用されるばね21は、2つまたは3つだけでもよく、あるいは5つ以上のばねを使用してもよい。
【００３７】
図11Aおよび図11Bに、図10のダンパーアセンブリが、ばね21を除いて示されている。ばねホルダ24は、例えば筒状のダンパーハウジング41が挿入され、クランプまたはラッチの態様で固定されるスリーブ状の受け部43を備えている。例えばゴムまたはエラストマで作製される弾性ストッパ44が、受け部43の端部に配置され、受け部と43とばねホルダ22との間の大きな停止音を防止する。受け部43に面するばねホルダ22の端部に、この目的のためのストッパ45が設計されている。直線的に変位可能なピストンロッド42が、各々のダンパーハウジング41から突出し、受け部においてばねホルダ22に固定される端部の太い頭部46を有している。したがって、ばねホルダ22および24がお互いに対して移動するとき、ダンパーが作動し、ここでダンパーは、圧力ダンパーとして設計されており、ピストンロッド42がダンパーハウジング41へと押し込まれるときに減衰力を発生させる一方で、ピストンロッド42の引き出しは滑らかである。圧縮ダンパーの代わりに反発ダンパーを使用することも可能である。線形ダンパーは、好ましくは、油、とくにはシリコーン油などの減衰流体を含む。
【００３８】
弾性ストッパ44は、受け部43の端部に固定されている。ストッパ44を、頭部46に隣接する弓形のばねホルダ22の一端に配置することも、当然ながら可能である。
【００３９】
図1〜図9においては、フラップ扉接続金具4が、それぞれ家具本体2の一方の側壁の内面に取り付けられている。図12においては、フラップ扉接続金具4が、家具本体2の側壁の内面にではなく、家具本体2の側壁に組み込まれている。この目的のために、側壁は、例えば木質材料からなる板状のコア材料80を備え、このコア材料80の上に、フラップ扉接続金具4のハウジング5が、コア材料80の全幅にわたって隣接して配置され、あるいはコア材料80の全幅の一部についてのみ広がるコア材料80の凹部に隣接して配置される。ハウジング5およびコア材料80は、外面において外側層81によって覆われ、内面において内側層82によって覆われ、ここで外側層81および内側層82は、例えば箔または装飾層で作製され、随意により同一の構成であってよい。図示の実施例において、内側層82は、固定点を介してコア材料80およびハウジング5に固定される。ハウジング5を、コア材料5へと接着でき、あるいは固定手段に接続することができる。ハウジングを家具本体の側壁内に配置することにより、ハウジングは、フラップ扉3が開かれ、支持レバー6および制御レバー7が前方に突き出しているときに、一端面からしか視認されない。
【符号の説明】
【００４０】
1  家具
2  家具本体
3  フラップ扉
4  フラップ扉接続金具
5  ハウジング
6  支持レバー
7  制御レバー
8  ロッド
9  接続部
10  歯車
11  歯車
12  回転軸
13  歯車
14  回転軸
15  制御ディスク
16  曲線ガイド
17  ガイド要素
18  ホルダ
19  受け部
20  エネルギ蓄積装置
21  ばね
22  ばねホルダ
23  ロッド
24  ばねホルダ
25  固定具
26  ピン
30  ダンパー
31  固定要素
32  接触面
33  作動要素
40  ダンパーアセンブリ
41  ダンパーハウジング
42  ピストンロッド
43  受け部
44  ストッパ
45  ストッパ
46  頭部
50  側壁
51  側壁
52  スペーサ
60  回転軸
61  回転軸
70  回転軸
71  回転軸
80  コア材料
81  外側層
82  内側層
83  固定点
【図１】
2020525682.tif 000003
【図２】
2020525682.tif 000004
【図３Ａ】
2020525682.tif 000005
【図３Ｂ】
2020525682.tif 000006
【図４Ａ】
2020525682.tif 000007
【図４Ｂ】
2020525682.tif 000008
【図５】
2020525682.tif 000009
【図６】
2020525682.tif 000010
【図７】
2020525682.tif 000011
【図８】
2020525682.tif 000012
【図９】
2020525682.tif 000013
【図１０Ａ】
2020525682.tif 000014
【図１０Ｂ】
2020525682.tif 000015
【図１１Ａ】
2020525682.tif 000016
【図１１Ｂ】
2020525682.tif 000017
【図１２】
2020525682.tif 000018
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
フラップ扉接続金具（4）用であり、第1のばねホルダ（22）および第2のばねホルダ（24）を有しており、前記第1のばねホルダ（22）と前記第2のばねホルダ（24）との間に、コイルばねとして設計された少なくとも2つのばね（21）が配置されている、ダンパーアセンブリ（40）であって、
前記少なくとも2つのばね（21）の各々に、ダンパーハウジング（41）と、前記ダンパーハウジング（41）に対して変位され得るピストンロッド（42）とを有する線形ダンパーが、前記第1および第2のばねホルダ（22、24）の間に配置されている、ことを特徴とするダンパーアセンブリ。
【請求項２】
前記第1および第2のばねホルダ（22、24）は、寸法的に安定なブラケットとして設計されている、ことを特徴とする請求項1に記載のダンパーアセンブリ。
【請求項３】
少なくとも2つのばね、好ましくは4つのばねが、前記2つのばねホルダ（22、24）の間に配置されている、ことを特徴とする請求項1または2に記載のダンパーアセンブリ。
【請求項４】
前記ダンパーアセンブリ（40）は、前記ばね（21）の配置に関する中央面に対して対称に形成されている、ことを特徴とする請求項1〜3のいずれか一項に記載のダンパーアセンブリ。
【請求項５】
前記ダンパーハウジング（41）を固定するための受け部（43）が、前記第2のばねホルダ（24）上に設けられ、前記第1のばねホルダ（22）のための弾性ストッパ（45）が、前記受け部（43）の端部に配置されている、ことを特徴とする請求項1〜4のいずれか一項に記載のダンパーアセンブリ。
【請求項６】
前記ばね（21）は、引張ばねまたは圧縮ばねとして設計されている、ことを特徴とする請求項1〜5のいずれか一項に記載のダンパーアセンブリ。
【請求項７】
前記ばねホルダ（22、24）は、前記ばね（21）の外側に配置された追加のダンパーレス線形ガイド手段によって相互接続されている、ことを特徴とする請求項1〜6のいずれか一項に記載のダンパーアセンブリ。
【請求項８】
前記ばねホルダ（22、24）は、少なくとも1つのばね（21）の内側に配置された追加のダンパーレス線形ガイド手段によって相互接続されている、ことを特徴とする請求項1〜7のいずれか一項に記載のダンパーアセンブリ。
【請求項９】
前記ダンパーハウジング（41）は、ピストン作動室内に異なる直径を有する異なる領域を有する、ことを特徴とする請求項1〜8のいずれか一項に記載のダンパーアセンブリ。
【請求項１０】
とくには家具用であり、本体（2）上に配置することができ、支持レバー（6）が回転可能に取り付けられるベース本体（5）と、枢動可能に取り付けられた制御レバー（7）とを有しており、前記支持レバー（6）および前記制御レバー（7）が、間隔を空けて位置する回転軸（61、71）を介して関節運動可能な態様でフラップ扉（3）へ接続され得、あるいはさらなるレバーを介してフラップ扉（3）へ接続され得、前記フラップ扉（3）は、動きの範囲の少なくとも一部においてエネルギ蓄積装置（20）によって予め引っ張られている、フラップ扉接続金具（4）であって、
請求項1〜9のいずれか一項に記載のダンパーアセンブリ（40）が、前記ベース本体（5）上または前記ベース本体（5）内に設けられていることを特徴とするフラップ扉接続金具（4）。
【請求項１１】
閉じ動作が、前記フラップ扉（3）の閉位置に到達する前に前記ダンパーアセンブリ（40）によって制動される、ことを特徴とする請求項10に記載のフラップ扉接続金具。
【請求項１２】
前記エネルギ蓄積装置（20）は、閉位置において閉じ方向に前記フラップ扉（3）を予め引っ張り、開領域において開き方向に前記フラップ扉（3）を予め引っ張る、ことを特徴とする請求項10または11に記載のフラップ扉接続金具。
【請求項１３】
ばねホルダ（22）が、曲線ガイド（16）を介して前記制御レバー（7）に結合している、ことを特徴とする請求項10〜12のいずれか一項に記載のフラップ扉接続金具。
【請求項１４】
前記曲線ガイド（16）が、前記制御レバー（7）によって駆動される歯車ユニットを介して作動され得る、ことを特徴とする請求項13に記載のフラップ扉接続金具。
【請求項１５】
前記歯車ユニットは、少なくとも1つの歯車（13）またはレバーアームを有する、ことを特徴とする請求項14に記載のフラップ扉接続金具。
【国際調査報告】
2020525682.tif 000019
2020525682.tif 000020
2020525682.tif 000021
2020525682.tif 000022